(57)【要約】【課題】本発明の目的は、１系列で通信を行う無線通信機器と複数系列で通信する無線通信機器とが通信するにあたって、無駄となるアンテナを減らし、通信に用いられているアンテナの通信状態を改善することである。【解決手段】本発明は、ＭＩＭＯ技術のような複数のアンテナを用いた無線ＬＡＮ装置が、１系列で通信する無線ＬＡＮ装置と無線通信する際、未使用のアンテナを選択ダイバーシティ受信を行うアンテナとして利用することを特徴とする。また、通信に利用するアンテナと未使用のアンテナとの距離を近接し、未使用のアンテナの終端条件を変更させることを特徴とする。【選択図】図３
2008206011.tif 000002
【特許請求の範囲】
【請求項１】
無線通信装置であって、
複数のアンテナと、
通信相手が複数のアンテナを組み合わせて通信する無線通信装置である場合、前記複数のアンテナを組み合わせて通信し、通信相手が１つのアンテナを用いて通信する無線通信装置である場合、前記複数のアンテナのうち通信に使用しないアンテナを制御し、通信に使用する１つのアンテナを安定した通信状態で通信するように制御する制御部と
を有することを特徴とする無線通信装置。
【請求項２】
前記制御部は、通信相手が１つのアンテナを用いて通信する無線通信装置である場合、前記複数のアンテナのうち、信号レベルの高いアンテナを用いて通信するように前記複数のアンテナを制御することを特徴とする請求項１に記載の無線通信装置。
【請求項３】
前記制御部は、通信相手が１つのアンテナを用いて通信する無線通信装置である場合、前記複数のアンテナのうち通信に使用しないアンテナを、通信に使用する１つのアンテナに近接させ、周波数共振を発生させることで安定した通信状態で通信するように制御することを特徴とする請求項１又は請求項２に記載の無線通信装置。
【請求項４】
無線通信システムであって、
自装置の通信形式を送信する第１の無線通信装置と、
前記送信された通信形式に複数のアンテナを組み合わせて通信する無線通信装置であることが示されている場合、前記複数のアンテナを組み合わせて通信し、前記送信された通信形式に１つのアンテナを用いて通信する無線通信装置であることが示されている場合、前記複数のアンテナのうち通信に使用しないアンテナを制御して、通信に使用する１つのアンテナを安定した通信状態で通信する第２の無線通信装置と
を有することを特徴とする無線通信システム。
【請求項５】
前記第２の無線通信装置は、前記通信形式に１つのアンテナを用いて通信する無線通信装置であることが示されている場合、前記複数のアンテナのうち、信号レベルの高いアンテナを用いて通信するように前記複数のアンテナを制御することを特徴とする請求項４に記載の無線通信システム。
【請求項６】
前記第２の無線通信装置は、前記通信形式に１つのアンテナを用いて通信する無線通信装置であることが示されている場合、前記複数のアンテナのうち通信に使用しないアンテナを、通信に使用する１つのアンテナに近接させ、周波数共振を発生させることで安定した通信状態で通信するように制御することを特徴とする請求項４又は請求項５に記載の無線通信システム。
【請求項７】
無線通信装置のプログラムであって、前記プログラムは、前記無線通信装置を、
通信相手が複数のアンテナを組み合わせて通信する無線通信装置である場合は、前記複数のアンテナを組み合わせて通信するように制御し、通信相手が１つのアンテナを用いて通信する無線通信装置である場合は、前記複数のアンテナのうち通信に使用しないアンテナを制御し、通信に使用する１つのアンテナを安定した通信状態で通信するように制御する制御部として機能させることを特徴とするプログラム。
【発明の詳細な説明】
【技術分野】
【０００１】
無線通信の技術に関し、特に、複数のアンテナを用いて通信する無線通信装置と、単数のアンテナを用いて通信する無線通信装置とが通信する場合の通信技術に関する。
【背景技術】
【０００２】
近年、伝送容量を飛躍的に増加させる、ＭＩＭＯ（Multiple - Input Multiple - Output）の技術を搭載した高速無線通信機器が登場している。このＭＩＭＯとは、送受信アンテナを複数具備し、各々のアンテナで違う信号（データ）を複数系列で並列に伝送し、多重化を図って伝送容量の増大を実現する技術である。現状、ＭＩＭＯに対応した高速無線通信機器の市場における絶対数量は少なく、また、ＭＩＭＯは送受信を１系列で通信する技術（ＩＥＥＥ８０２．１１ａｇ、ＩＥＥＥ８０２．１１ｂ）を搭載した無線通信機器と互換性があるため、１系列で通信する無線通信機器と混在させて利用されることが多い（例えば特許文献１）。
【０００３】
図１は、１系列で通信する無線通信機器とＭＩＭＯの技術を搭載した高速無線通信機器とを混在させて通信する従来の技術を示す体系図である。
【０００４】
図１を参照すると、無線ＬＡＮ装置１０は、３本の送受信アンテナを有しており、このアンテナにより３系列のデータを多重して送受信することの出来る装置を示している。すなわち、無線ＬＡＮ装置１０は、ＭＩＭＯ技術を用い、３本のアンテナおよび無線回路を持つ無線ＬＡＮ装置である。アンテナ１１−１〜１１−３はＭＩＭＯ技術を用いた無線ＬＡＮ装置１０の送受信アンテナである。
【０００５】
また、無線ＬＡＮ装置１２は、１系列でデータを送受信する装置を示している。すなわち、無線ＬＡＮ装置１２はＭＩＭＯ技術を用いず、１系列で通信を行う無線ＬＡＮ装置である。アンテナ１３はＭＩＭＯ技術を用いない無線ＬＡＮ装置１２の送受信アンテナである。
【０００６】
このような構成において、３本のアンテナを持つ無線ＬＡＮ装置１０は、３本のアンテナの内、予め決められている１本を利用して、１系列の通信を行うが、残りのアンテナは通信には利用されない。図１においては、無線ＬＡＮ装置１０のアンテナ１１−１と無線ＬＡＮ装置１２のアンテナ１３とが１系列で通信を行っている。このような方法では、通信に全く利用されないアンテナ１１−２、１１−３が無駄になってしまう。また、通信に利用されない無線ＬＡＮ装置１０のアンテナ１１−２、１１−３が、通信で利用されるアンテナ１１−１に近接することで、アンテナ１１−１の特性が変化し、無線ＬＡＮ装置１０のアンテナ１１−１と無線ＬＡＮ装置１２のアンテナ１３との通信に対して、悪影響を及ぼしてしまう。
【特許文献１】特開２００６−０１４０２７号公報
【発明の開示】
【発明が解決しようとする課題】
【０００７】
そこで、本発明が解決しようとする課題は、上記問題点を解決することであり、１系列で通信を行う無線通信機器と、例えばＭＩＭＯのように複数系列で通信を行う無線通信機器とが通信するにあたって、無駄となるアンテナを減らすことである。
【０００８】
また、本発明が解決しようとする課題は、１系列で通信を行う無線通信機器と、複数系列で通信を行う無線通信機器との通信において、通信状態を改善することである。
【課題を解決するための手段】
【０００９】
上記課題を解決するための本発明は、無線通信装置であって、複数のアンテナと、通信相手が複数のアンテナを組み合わせて通信する無線通信装置である場合、前記複数のアンテナを組み合わせて通信し、通信相手が１つのアンテナを用いて通信する無線通信装置である場合、前記複数のアンテナのうち通信に使用しないアンテナを制御し、通信に使用する１つのアンテナを安定した通信状態で通信するように制御する制御部とを有することを特徴とする。
【００１０】
上記課題を解決するための本発明は、無線通信システムであって、自装置の通信形式を送信する第１の無線通信装置と、前記送信された通信形式に複数のアンテナを組み合わせて通信する無線通信装置であることが示されている場合、前記複数のアンテナを組み合わせて通信し、前記送信された通信形式に１つのアンテナを用いて通信する無線通信装置であることが示されている場合、前記複数のアンテナのうち通信に使用しないアンテナを制御して、通信に使用する１つのアンテナを安定した通信状態で通信する第２の無線通信装置とを有することを特徴とする。
【００１１】
上記課題を解決するための本発明は、無線通信装置のプログラムであって、前記プログラムは、前記無線通信装置を、通信相手が複数のアンテナを組み合わせて通信する無線通信装置である場合は、前記複数のアンテナを組み合わせて通信するように制御し、通信相手が１つのアンテナを用いて通信する無線通信装置である場合は、前記複数のアンテナのうち通信に使用しないアンテナを制御し、通信に使用する１つのアンテナを安定した通信状態で通信するように制御する制御部として機能させることを特徴とする。
【発明の効果】
【００１２】
本発明ではＭＩＭＯ技術のように複数のアンテナを用いて通信する通信装置が、単数のアンテナで通信する通信装置と通信する場合に、従来技術では未使用であったアンテナを、本発明によって有効に活用することで下記の効果が得られる。
【００１３】
本発明による第１の効果は、複数のアンテナを用いて通信する通信装置が、単数のアンテナで通信する通信装置と通信する場合に、従来技術では未使用であったアンテナを選択ダイバーシティ受信用のアンテナとして利用することにより、アンテナ特性を改善し、安定した通信状態にできることである。
【００１４】
第２の効果は、複数のアンテナを用いて通信する通信装置が、単数のアンテナで通信する通信装置と通信する場合に、従来技術では未使用であったアンテナを通信中のアンテナと近接させ、周波数共振を発生させることで、アンテナの周波数特性を改善し、安定した通信状態にできることである。
【発明を実施するための最良の形態】
【００１５】
本発明の無線通信システムは、ＭＩＭＯ技術のように複数のアンテナを用いて通信する無線ＬＡＮ装置と、ＳＩＳＯ（Single - in Single - out）技術のように単数のアンテナを用いて通信する無線ＬＡＮ装置とで構成される。このような構成において、複数のアンテナを用いて通信する無線ＬＡＮ装置と、単数のアンテナを用いて通信する無線ＬＡＮ装置とが通信を行うが、本発明では、通信時に使用されないアンテナを、選択ダイバーシティ受信を行うアンテナとして利用することで通信状態を安定、改善させることが可能となる構成を提案する。尚、通信する無線ＬＡＮ装置同士がＭＩＭＯ技術を用いて、複数の送受信系列で通信を行う無線ＬＡＮ装置である場合、ＭＩＭＯ技術を用いて通信を行うものとする。
【００１６】
本発明の特徴を説明するために、以下において、図面を参照して具体的に述べる。
【００１７】
本発明を実施するための第１の実施の形態について図面を参照して詳細に説明する。
【００１８】
図２は、本発明の無線通信システムを示す体系図である。
【００１９】
本発明の無線通信システムは、無線ＬＡＮ装置２０と２２とを有する。尚、無線ＬＡＮ装置は複数設けても良いが、以下の説明においては、無線ＬＡＮ装置２０と２２とを有する構成を用いて説明する。
【００２０】
図２において、無線ＬＡＮ装置２０は、３本のアンテナおよび無線回路を持つ無線ＬＡＮ装置であり、ＭＩＭＯ技術を用いて複数のチャネルで異なるデータを送受信する。
【００２１】
アンテナ２１−１〜２１−３は、ＭＩＭＯ技術を用いた無線ＬＡＮ装置２０の送受信アンテナである。
【００２２】
尚、本明細書では、無線ＬＡＮ装置２０は、３本の送受信アンテナおよび無線回路を用い、３系列のデータを多重して送受信することの出来る無線ＬＡＮ装置を示しているが、これは説明の簡略化のためであり、アンテナおよび無線回路の数を限定するものではない。本発明に適用できる装置のアンテナおよび無線回路の数Ｎは、Ｎ＞１（Ｎは整数）である。
【００２３】
無線ＬＡＮ装置２２は、ＭＩＭＯ技術を用いず、１系列で通信を行う無線ＬＡＮ装置である。そして、無線ＬＡＮ装置２２は、無線ＬＡＮ装置２０が無線ＬＡＮ装置の伝送路を推定するための情報として自装置の通信形式をプリアンブル信号に記して送信する送信部を有する。
【００２４】
アンテナ２３は、ＭＩＭＯ技術を用いない無線ＬＡＮ装置２２の送受信アンテナである。
【００２５】
図３に、本発明の無線ＬＡＮ装置２０の構成例を示す。尚、図３は、無線ＬＡＮ装置２０の送受信部に関する構成要素を示しており、他の構成要素は図示していないが他の構成要素も有するものとする。
【００２６】
図３に示すとおり、本発明の無線ＬＡＮ装置２０は、３つの送受信アンテナおよび無線回路を有し、各アンテナで３系列のデータを多重して送受信することが出来る。
【００２７】
無線ＬＡＮ装置２０は、アンテナ３０−１〜３０−３、スイッチ３１〜３３、無線回路３４−１〜３４−３、チャネル推定回路３５、チャネル推定回路３５、復調回路３６−１〜３６−３、データ合成部３７、及び制御部３８を有する。
【００２８】
アンテナ３０−１〜３０−３は、データを送受信するアンテナである。
【００２９】
スイッチ３１は、アンテナ３０−１において送受信されたデータのパスを切り替えるスイッチであり、入出力端子ａ、ｂ、ｃ、ｄを有する。
【００３０】
スイッチ３２は、アンテナ３０−２において送受信されるデータのパスを切り替えるスイッチであり、入出力端子ｅ、ｆ、ｇを有する。
【００３１】
スイッチ３３は、アンテナ３０−３より送受信されるデータのパスを切り替えるスイッチであり、入出力端子ｈ、ｉ、ｊを有する。
【００３２】
無線回路３４−１〜３４−３は、各スイッチに接続されており、各パスに対応している。
【００３３】
チャンネル推定回路３５では、アンテナ３０−１〜３０−３が受信した信号を復調する前段階の処理を行う。通常、マルチパスの影響で、直接波や反射波など、位相と振幅が異なる信号をアンテナ３０−１〜２０−３が受信することになるが、それが信号歪みとなってきれいに復調できないため、チャンネル推定回路３５で位相と振幅の伝送路の歪みを推定して取り去る。
【００３４】
復調回路３６−１〜３６−３は、アンテナ３０−１〜３０−３において受信されたデータを復調する。
【００３５】
データ合成部３７は、復調回路３６で復調されたデータを合成する。
【００３６】
制御部３８は、無線ＬＡＮ装置２２が送信したプリアンブル信号に基づいて、無線ＬＡＮ装置２２が複数のアンテナを組み合わせて通信する無線通信装置であるか、１つのアンテナを用いて通信する無線通信装置であるかを判断する。そして、無線ＬＡＮ装置２２が複数のアンテナを組み合わせて通信する無線通信装置である場合、複数のアンテナを組み合わせて通信するように、スイッチ３１〜３３を制御する。また、無線ＬＡＮ装置２２が１つのアンテナを用いて通信する無線通信装置である場合、複数のアンテナのうち、信号レベルの高いアンテナを用いて通信するようにスイッチ３１〜３３を制御する
本実施の形態の送受信動作について、図２の体系図、図３の本実施の形態の構成図、および図４の本実施の形態のフローチャートを用いて説明する。以下の説明において、３本のアンテナおよび無線回路を持ち、ＭＩＭＯ技術を用いて通信する無線ＬＡＮ装置２０において、１系列で通信を行う無線ＬＡＮ装置２２と無線通信を行い、ＭＩＭＯ技術を用いた無線ＬＡＮ装置２０が送受信機として動作する場合を説明する。
【００３７】
アンテナ３０−１〜３０−３のいずれか又は全てがデータを受信すると（４０２）、制御部３８は、送信側でデータに付与したプリアンブル信号から、通信相手がＭＩＭＯ動作可能であるか判別する（４０３）。尚、一般に、プリアンブル信号に伝送路推定のための情報が含まれている。
【００３８】
制御部３８によって、ＭＩＭＯ動作不可であると判別されると（４０３：Ｙ）、制御部３８はスイッチ３３のパスをｈ−ｊに固定し、アンテナ３０−３をＧＮＤに接続する（４０４）。これはアンテナ３０−３によって、アンテナ３０−１、３０−２の特性が劣化しないようにするための処置である。
【００３９】
続いて、アンテナ３０−２の後段にあるスイッチ３２のパスをｅ−ｆに固定する（４０５）。
【００４０】
そして、スイッチ３１を切り替え、アンテナ３０−１とアンテナ３０−２よりデータを受信し、選択ダイバーシティ受信を行う（４０６）。選択ダイバーシティ受信とは、まず、スイッチ３１のパスをａ−ｃ、ｂ−ｄに固定し、アンテナ３０−１で受信される信号レベルを取得する。次に、スイッチ３１のパスをａ−ｄ、ｂ−ｃに固定し、アンテナ３０−２で受信される信号レベルを取得する。そして、取得した２つの受信信号レベルを比較し、レベルが大きい方のアンテナを選択して、そのアンテナを用いて通信する。
【００４１】
送信側でデータに付与したプリアンブル信号から、通信する機器が、ＭＩＭＯ動作すると判定されると（４０３：Ｎ）、制御部３８はスイッチ３３のパスをｈ−ｉに固定し、アンテナ３０−３と無線部３４−３を接続する（４０７）。次に、スイッチ３２のパスをｅ−ｇに固定し、アンテナ３０−２と無線部３４−２を接続する（４０８）。そして、ＭＩＭＯで送受信動作を行う（４０９）。
【００４２】
ここで、ＭＩＭＯの送受信動作を詳細に説明すると、アンテナ３０−１〜３０−３で受信された信号は、無線部３４−１〜３４−３でそれぞれ周波数変換されて、チャネル推定回路３５に入力される。チャネル推定回路３５は、送信側でデータに付与したプリアンブル信号の受信状況から、各送信アンテナと受信アンテナ間の伝達関数を取得する。取得した伝達関数を用いて、各系列にデータ分離、復調される。その後、データ合成回路２６によりデータを合成し出力される。
【００４３】
以上のアンテナスイッチ制御およびアンテナ構成により、ＭＩＭＯ技術を搭載した通信機器が、ＭＩＭＯ技術に非対応の通信機器と通信する場合に、従来技術では未使用であったアンテナを、選択ダイバーシティ受信用のアンテナとして有効活用し、通信特性の改善、安定化することが実現できる無線ＬＡＮ装置の提供が可能となった。
【００４４】
尚、上記説明では、アンテナ３０−３をＧＮＤに接続して、３０−１と３０−２のうちレベルが大きい方のアンテナを選択して、そのアンテナを用いて通信する場合を用いて説明したが、これは説明の簡略化のためであり、３本のアンテナのうち、一番レベルが大きいアンテナを選択してそのアンテナを用いて通信しても良い。
【００４５】
次に、本発明の第２の実施の形態について説明する。
【００４６】
本実施の形態の無線通信システムは、図５に示すように、無線ＬＡＮ装置５０と５２とを有する。尚、無線ＬＡＮ装置は複数設けても良いが、以下の説明においては、無線ＬＡＮ装置５０と５２とを有する構成を用いて説明する。
【００４７】
図５において、無線ＬＡＮ装置５０は、３本のアンテナおよび無線回路を持つ無線ＬＡＮ装置であり、ＭＩＭＯ技術を用いて複数のチャネルで異なるデータを送受信する。
【００４８】
尚、本明細書では、無線ＬＡＮ装置５０は、３本の送受信アンテナおよび無線回路を用い、３系列のデータを多重して送受信することの出来る無線ＬＡＮ装置を示しているが、これは説明の簡略化のためであり、アンテナおよび無線回路の数を限定するものではない。本発明に適用できる装置のアンテナおよび無線回路の数Ｎは、Ｎ＞１（Ｎは整数）である。
【００４９】
無線ＬＡＮ装置５２は、ＭＩＭＯ技術を用いず、１系列で通信を行う無線ＬＡＮ装置である。そして、無線ＬＡＮ装置５２は、無線ＬＡＮ装置５０が無線ＬＡＮ装置の伝送路を推定するための情報として自装置の通信形式をプリアンブル信号に記して送信する送信部を有する。
【００５０】
アンテナ６０−１〜６０−３は、データを送受信するアンテナである。
【００５１】
スイッチ６１は、アンテナ６０−２を、マッチング回路６３を介してＧＮＤに接続するためのパスを切り替えるスイッチであり、入出力端子Ａ、Ｂ、Ｃを有する。
【００５２】
スイッチ６２は、アンテナ６０−３を、ＧＮＤまたは無線部６４−３と接続するためのパスを切り替えるスイッチであり、入出力端子Ｄ、Ｅ、Ｆを有する。
【００５３】
マッチング回路６３は、アンテナ６０−１とアンテナ６０−２とが指定の距離に近接した時に、共振特性を得られるように設定されている。そして、マッチング回路６３は、アンテナ６０−２が移動して指定の距離にアンテナ６０−１に近接されると、アンテナ６０−１と６０−２との間で周波数共振を起こさせ、アンテナ６０−１の周波数特性を改善させる。
【００５４】
無線部６４−１〜６４−３、チャネル推定回路６５、復調回路６６−１〜６６−３、及びデータ合成部６７は、上記実施の形態の無線部と同様である。
【００５５】
制御部６８は、無線ＬＡＮ装置２２が送信したプリアンブル信号に基づいて、無線ＬＡＮ装置２２が複数のアンテナを組み合わせて通信する無線通信装置であるか、１つのアンテナを用いて通信する無線通信装置であるかを判断する。無線ＬＡＮ装置２２が１つのアンテナを用いて通信する無線通信装置である場合、複数のアンテナのうち通信に使用しないアンテナを、通信に使用する１つのアンテナに近接させるように制御して周波数共振を発生させることで安定した通信状態で通信するように制御する。
【００５６】
本実施の形態の動作について、図５の体系図、図６の構成図および図７のフローチャートを用いて説明する。以下の説明において、３本のアンテナおよび無線回路を持つ無線ＬＡＮ装置５０が、アンテナ５１−１を使用して無線ＬＡＮ装置５２と１系列で無線通信し、未使用のアンテナ５１−２を通信で使用するアンテナ５１−１に指定の距離になるように近接する場合について説明する。
【００５７】
アンテナ５１−１から５１−３のいずれか又は全てがデータを受信すると（７０２）、送信側でデータに付与したプリアンブル信号から、通信相手がＭＩＭＯ動作可能であるか判別する（７０３）。
【００５８】
ＭＩＭＯ動作不可であると判別されると（７０３：Ｙ）、制御部６８はスイッチ６２のパスをＤ−Ｆに固定し、アンテナ６０−３をＧＮＤに接続する（７０４）。これはアンテナ６０−３によって、アンテナ６０−１、６０−２の特性が劣化しないようにするための処置である。
【００５９】
次に、スイッチ６１のパスをＡ−Ｂに固定する（７０５）。このとき、アンテナ６０−２はマッチング回路６３を介しＧＮＤに接続されるが、マッチング回路６３の定数は、アンテナ６０−１とアンテナ６０−２が指定の距離に近接した時に、共振特性を得られるよう定められている。
【００６０】
そして、アンテナ６０−２を移動し、指定の距離にアンテナ６０−１と近接させる（７０６）。すると、アンテナ６０−１と６０−２の間で周波数共振が起こり、アンテナ６０−１の周波数特性が改善する。
【００６１】
送信側でデータに付与したプリアンブル信号から、通信する機器が、ＭＩＭＯ動作すると判定されると（７０３：Ｎ）、制御部６８はスイッチ６２のパスをＤ−Ｅに固定し、アンテナ６０−３と無線部６４−３を接続する（７０８）。
【００６２】
次に、スイッチ６１のパスをＡ−Ｃに固定し、アンテナ６０−２と無線部６４−２に接続する（７０９）。
【００６３】
そして、ＭＩＭＯで送受信動作を行う（７１０）。
【００６４】
以上のアンテナスイッチ制御およびアンテナ構成により、ＭＩＭＯ技術を搭載した通信機器が、ＭＩＭＯ技術に非対応の通信機器と通信する場合に、従来技術では未使用であったアンテナを有効利用し、アンテナ２本による周波数共振を得ることでアンテナの帯域を広げ、周波数特性の改善が実現できる無線ＬＡＮ装置の提供が可能となった。尚、本実施例の効果はアンテナに適応されるため、送信動作に対しても、同様の効果が得られる。また、本実施の形態の無線ＬＡＮ装置はアンテナ間の距離を、指定の距離に変更できるものとする。
【００６５】
図８は周波数特性の改善効果を示す、アンテナの周波数特性改善のイメージ図である。８０は従来のアンテナ特性を示すグラフイメージであり、８１は周波数共振を得たときのアンテナ特性を示すグラフイメージである。縦軸はアンテナのゲインをとり、上に行くに連れて良好なアンテナゲインとなる。また、横軸は周波数をとり、右に行くに連れて高い周波数となる。グラフを参照すると、従来のアンテナ特性との比較において、周波数共振を得たアンテナ特性は、高いアンテナゲインが得られる周波数帯域が広くなり、点線で示された通信で利用する周波数帯域内のアンテナゲインバラつきが低減されている。
【００６６】
尚、上記説明において、複数系列でデータを送受信する方法としてＭＩＭＯ技術を用いて説明したが、他の技術を用いて複数系列でデータを送受信する構成であってもよい。また、上記第１の実施の形態と第２の実施の形態とを組み合わせた構成にしても良い。
【００６７】
また、上述した本発明の制御部は、上記説明からも明らかなように、ハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【図面の簡単な説明】
【００６８】
【図１】図１は、従来の技術を説明するための体系図である。
【図２】図２は、本発明の第１の実施の形態を説明するための体系図である。
【図３】図３は、第１の実施の形態における複数のアンテナを用いて通信する無線ＬＡＮ装置のブロック図である。
【図４】図４は、第１の実施の形態の動作を説明するためのフロー図である。
【図５】図５は、本発明の第２の実施の形態を説明するための体系図である。
【図６】図６は、第２の実施の形態における複数のアンテナを用いて通信する無線ＬＡＮ装置のブロック図である。
【図７】図７は、第２の実施の形態の動作を説明するためのフロー図である。
【図８】図８は、本発明を用いた場合の周波数特性の改善効果を示すイメージ図である
【符号の説明】
【００６９】
２０、５０          複数のアンテナを有する無線ＬＡＮ装置
２２、５２          単数のアンテナを有する無線ＬＡＮ装置
３０                アンテナ
３１、３２、３３    スイッチ
３４                無線部
３５                チャンネル推定回路
３６                復調部
３７                データ合成部
３８                制御部
６０                アンテナ
６１、６２、６３    スイッチ
６４                無線部
６５                チャンネル推定回路
６６                復調部
６７                データ合成部
６８                制御部
【図１】
2008206011.tif 000003
【図２】
2008206011.tif 000004
【図３】
2008206011.tif 000005
【図４】
2008206011.tif 000006
【図５】
2008206011.tif 000007
【図６】
2008206011.tif 000008
【図７】
2008206011.tif 000009
【図８】
2008206011.tif 000010